(57)【特許請求の範囲】
【請求項１】
イ）他方端部に係合孔（２１ｈ、８１ａ）をもった支持材（２１、８１）の長手方向に少なくとも一対の回動可能な転動体（２２）又は隅部外面が突出面を形成している摺動体（８２）を有するランナー（２、８）と、ロ）前記支持材（２１、８１）と一方端部が螺合可能な固着具（３３、９３）と他方寄りに垂直な回動軸（３２）とを含む中間部材（３、９）と、ハ）固着部（４１ａ）の中間部より垂直方向に筒状に延びる支承部（４１ｂ）を有し、該支承部（４１ｂ）軸芯に沿って前記回動軸（３２）が貫通され摺動可能な支持孔（４１ｃ）が設けられている扉取付材（４１）の下部部材（４）とを備え、ニ）折戸の親扉（Ｘ）上縁部に前記扉取付材（４１）が固着され、上部レール（Ｒ）に沿い前記ランナー（２、８）を移動可能とし、中間部材（３、９）と前記係合孔（２１ｈ、８１ａ）との係合離脱及び前記支持材（２１、８１）と前記固着具（３３、９３）との着脱により前記ランナー（２、８）と中間部材（３、９）とが固着又は分離可能とされていることを特徴とする折戸用ガイド。
【請求項２】
イ）ランナー（２）が長手方向に少なくとも一対の転動軸（２３）回りに回動可能な転動体（２２）が配設され、ロ）中間部材（３）が短冊状基板（３１ａ）の一方端部に通し孔（３１ｄ）及び他方寄りに軸孔（３１ｅ）が穿設され他方端部に異形の係合片（３１ｃ）が突設された連結材（３１）と、該軸孔（３１ｅ）に上端が固着され該基板（３１ａ）に垂直な回動軸（３２）と、該通し孔（３１ｄ）を通して支持材（２１）と螺合可能な固着具（３３）とを含むことを特徴とする請求項１に記載の折戸用ガイド。
【請求項３】
イ）ランナー（８）が下面に下向き開口を有する長溝（８１ｂ）が長手方向に設けられ該長溝（８１ｂ）の他方端に側面視において略鍵形の係合孔（８１ａ）が形成されている略長方形ブロック体の支持材（８１）と、該支持材（８１）に固着され四隅部に突出面を形成している摺動体（８２）とを有し、ロ）中間部材（９）が一方端部に通し孔（９１ａ）が穿設され、他方に寄りに軸孔（９１ｂ）が穿設されている短冊状板材の連結材（９１）と、該軸孔（９１ｂ）に上端が固着され該連結材９１に垂直な回動軸（３２）と、該通し孔（９１ａ）を通して前記支持材（８１）と螺合可能な固着具（９３）とを含むことを特徴とする請求項１に記載の折戸用ガイド。
【請求項４】
支持材（２１）は水平方向の上側片（２１ａ）と該上側片（２１ａ）の左右端より下垂直方向に延びる一方側垂直片（２１ｂ）と他方側垂直片（２１ｃ）とで下向き開口の略コ字形に形成され、前記一方側垂直片（２１ｂ）の下端末から水平方向に下側片（２１ｄ）が連設され、前記他方側垂直片（２１ｃ）には異形の係合孔（２１ｈ）が穿設され、一対の転動体（２２）を前記上側片（２１ａ）の下側及び下側片（２１ｄ）の上側にそれぞれ配設し該各転動体（２２）の軸芯に穿設された各軸孔（２２ａ）に上向き及び下向きに一対の転動軸（２３）を貫通して該上側片（２１ａ）及び下側片（２１ｄ）に固着せしめたことを特徴とする請求項２に記載の折戸用ガイド。
【請求項５】
連結材（３１）の基板（３１ａ）上面より僅かに隆起した形状の突出部（３１ｂ）を有し該突出部（３１ｂ）の先端部に係合片（３１ｃ）が連設されていることを特徴とする請求項４に記載の折戸用ガイド。
【発明の詳細な説明】
【０００１】
【発明の属する技術分野】
本発明は、折戸の組立部材としてピボット部と対で用いられる折戸用ガイドの改良に関する。
【０００２】
【従来の技術】
従来の折戸は、蝶番によって子扉と親扉とを回動可能に連結し、引戸の開閉空間への組立部材として子扉上下部に取付けられるピボット部と、親扉上部に取付けらるランナーを含むガイドとを備え、引戸の開閉空間への装着は各組立部材を取付けた子扉及び親扉を開閉空間の上側に固着されている上部レールへのランナー側から挿通とピボット部の開閉空間の上側及び下側との取付けによってなされていた。
【０００３】
【発明が解決しようとする課題】
従来の折戸用ガイドは一体物で分割不可能であり、予め親扉上部に取付けて開閉空間に組立てるので上部レールとランナーとの挿通と、子扉のピボット部と開閉空間の上側及び下側との装着の各作業を継続して行わねばならず、子扉及び親扉を合わせた重量はかなり大きいので施工現場において安全且つ短時間にこの組立て作業を完了するのはかなりの重労働で慎重にすすめる必要があり、取外しの際も、親扉のランナーと子扉のピボット部とを同時に外さねばならなかった。
これに対し、本発明は簡易な構造で、ランナーを含むガイドを分割構造とし親扉と上部レールへ別々に取付け可能とし、上部レールとランナーとの挿通と子扉へのピボット部の取付けという、開閉空間の上側及び下側との装着の各作業を完全に分離して行うことができ、取外しの際も親扉のランナーと子扉のピボット部とを同時に外す必要がなく、安全且つ労力を要せずに組立て及び取外し作業を遂行できる折戸用ガイドを得ることを目的とする。
【０００４】
【課題を解決するための手段】
この目的を得るため、
請求項１の発明にあっては、イ）他方端部に係合孔（２１ｈ、８１ａ）をもった支持材（２１、８１）の長手方向に少なくとも一対の回動可能な転動体（２２）又は隅部外面が突出面を形成している摺動体（８２）を有するランナー（２、８）と、ロ）前記支持材（２１、８１）と一方端部が螺合可能な固着具（３３、９３）と他方寄りに垂直な回動軸（３２）とを含む中間部材（３、９）と、ハ）固着部（４１ａ）の中間部より垂直方向に筒状に延びる支承部（４１ｂ）を有し、該支承部（４１ｂ）軸芯に沿って前記回動軸（３２）が貫通され摺動可能な支持孔（４１ｃ）が設けられている扉取付材（４１）の下部部材（４）とを備え、ニ）折戸の親扉（Ｘ）上縁部に前記扉取付材（４１）が固着され、上部レール（Ｒ）に沿い前記ランナー（２、８）を移動可能とし、中間部材（３、９）と前記係合孔（２１ｈ、８１ａ）との係合離脱及び前記支持材（２１、８１）と前記固着具（３３、９３）との着脱により前記ランナー（２、８）と中間部材（３、９）とが固着又は分離可能とされている折戸用ガイドにより解決した。
請求項２の発明にあっては、イ）ランナー（２）が長手方向に少なくとも一対の転動軸（２３）回りに回動可能な転動体（２２）が配設され、ロ）中間部材（３）が短冊状基板（３１ａ）の一方端部に通し孔（３１ｄ）及び他方寄りに軸孔（３１ｅ）が穿設され他方端部に異形の係合片（３１ｃ）が突設された連結材（３１）と、該軸孔（３１ｅ）に上端が固着され該基板（３１ａ）に垂直な回動軸（３２）と、該通し孔（３１ｄ）を通して支持材（２１）と螺合可能な固着具（３３）とを含む請求項１に記載の折戸用ガイドとすることができる。
請求項３の発明にあっては、イ）ランナー（８）が下面に下向き開口を有する長溝（８１ｂ）が長手方向に設けられ該長溝（８１ｂ）の他方端に側面視において略鍵形の係合孔（８１ａ）が形成されている略長方形ブロック体の支持材（８１）と、該支持材（８１）に固着され四隅部に突出面を形成している摺動体（８２）とを有し、ロ）中間部材（９）が一方端部に通し孔（９１ａ）が穿設され、他方に寄りに軸孔（９１ｂ）が穿設されている短冊状板材の連結材（９１）と、該軸孔（９１ｂ）に上端が固着され該連結材９１に垂直な回動軸（３２）と、該通し孔（９１ａ）を通して前記支持材（８１）と螺合可能な固着具（９３）とを含む請求項１に記載の折戸用ガイドとすることができる。
請求項４の発明にあっては、支持材（２１）は水平方向の上側片（２１ａ）と該上側片（２１ａ）の左右端より下垂直方向に延びる一方側垂直片（２１ｂ）と他方側垂直片（２１ｃ）とで下向き開口の略コ字形に形成され、前記一方側垂直片（２１ｂ）の下端末から水平方向に下側片（２１ｄ）が連設され、前記他方側垂直片（２１ｃ）には異形の係合孔（２１ｈ）が穿設され、一対の転動体（２２）を前記上側片（２１ａ）の下側及び下側片（２１ｄ）の上側にそれぞれ配設し該各転動体（２２）の軸芯に穿設された各軸孔（２２ａ）に上向き及び下向きに一対の転動軸（２３）を貫通して該上側片（２１ａ）及び下側片（２１ｄ）に固着せしめた請求項２に記載の折戸用ガイドとすることができる。
請求項５の発明にあっては、連結材（３１）の基板（３１ａ）上面より僅かに隆起した形状の突出部（３１ｂ）を有し該突出部（３１ｂ）の先端部に係合片（３１ｃ）が連設されている請求項４に記載の折戸用ガイドとするのが好ましい。
【０００５】
【発明の実施の形態】
本発明の実施の形態を図面に基づき以下詳細に説明する。
図１は、本発明の折戸用ガイドの第一例の分解及び組立斜視図である。
図２は、図１の折戸用ガイドの各図である。
図３は、図１の折戸用ガイドと対で用いられるピボット部の上部材の各図である。
図４は、図１の折戸用ガイドと対で用いられるピボット部の下部材の各図である。
図５は、本発明の折戸用ガイドの第二例のランナー回りの各図及び組立斜視図である。
図６は、図１の折戸用ガイドの第一例を装着した折戸の前閉状態を示す各図である。
図７は、図１の折戸用ガイドの第一例を装着した折戸の前開状態を示す各図である。
各構成要素の位置関係の説明は折戸としての使用状態で行い、子扉と親扉の連結部の折曲がり部分の軌跡が移動する側を外側又は後側とし、その反対側を内側又は前側とし、内側から外側にみて上下、左右として説明する。
又以下の説明では、内側より視て右側に子扉Ｙを左側に親扉Ｘを配設した例によっているが、施工現場に合わせ左右入替えて内側より視て左側に子扉Ｙを右側に親扉Ｘを配設することもできる。更に、折戸用ガイド及びこれと対で用いられるピボット部は各図に合わせて左右として説明するが、施工現場に合わせ左右入替えた構成のものが用いられる。
【０００６】
本発明の第一例の折戸用ガイド１の構成は、図１、２に示す通りで、ランナー２と、中間部材３と、下部部材４とを備えている。
ランナー２は、一個の支持材２１と、各一対の転動体２２及び転動軸２３とを有している。支持材２１は通常金属製細幅板材で、水平方向の上側片２１ａと該上側片２１ａの左右端より下垂直方向に延びる左側垂直片２１ｂと右側垂直片２１ｃとで下向き開口の略コ字形に形成され、左右一方側ここでは左側垂直片２１ｂの下端末から左側水平方向に下側片２１ｄが連設されている。上側片２１ａには左右略中央部に軸孔２１ｅが穿設され、下側片２１ｄには左右略中央部よりやや左側に寄りに軸孔２１ｆが穿設され右端寄りにねじ孔２１ｇが設けられている。右側垂直片２１ｃには異形の略方形状の係合孔２１ｈが穿設されている。転動体２２は通常低摩擦の金属又は硬質プラスチック製車輪状で、中央部に後述する転動軸２３が貫通され軸芯回りに回動可能なように入り口側の大径部に続いて小径部の段付き状の軸孔２２ａが穿設されている。転動軸２３は通常金属製で、同軸の軸部２３ａとその上下一方端部に鍔２３ｂと他方端部に小径段部２３ｃとを有し、軸孔２２ａ大径部には鍔２３ｂが嵌着摺動可能とされ、軸部２３ａは軸孔２２ａ小径部に挿着摺動可能とされ、小径段部２３ｃには軸孔２１ｅ及び２１ｆが挿着されかしめ等によって上側片２１ａ及び下側片２１ｄに固着される。ここで、転動体２２は一対を用いているが、一個としすると後述する上部レールＲとの転動が不安定であり少なくとも一対が必要であり、３個以上とするとコストアップとなり抵抗も増えるので一対が最も好ましい。
中間部材３は、連結材３１と、回動軸部３２と、固着具３３と、止め輪３４とを有している。連結材３１は通常金属製細幅板材で、短冊状の基板３１ａの左右他方側ここでは右側に先端部に係合孔２１ｈに係脱可能な異形の略方形状の係合片３１ｃをもった突出部３１ｂが連設されている。基板３１ａの左端寄りに通し孔３１ｄが設けられ、基板３１ａの左右略中央部よりやや右側に寄りに軸孔３１ｅが穿設されている。ここで、突出部３１ｂは基板３１ａ上面より僅かに隆起した形状にとられているが、簡略化して隆起をなくし基板３１ａを延長して突出部３１ｂを設けてもよいが、そのときは基板３１ａの下面より右側垂直片２１ｃが転動体２２が転動する親扉上方の上部レールＲから外部に飛出して見える場合があり外観上よくないので、突出部３１ｂを基板３１ａ上面より隆起した形状にとるのが好ましい。回動軸３２は通常金属製円形軸体で、同軸の軸部３２ａとその上方端部に小径の先端固着部３２ｂが下方端部に小径段部３２ｃとを有し、段部３２ｃの下端末部に細溝３２ｄが周面に設けられている。ここで段部３２ｃは必ずしも必須のものではなく、後述するコイルばねを装填しない場合には小径段部３２ｃと軸部３２ａを同径としてもよい。固着具３３は、頭付小ねじで通し孔３１ｄを貫通してねじ孔２１ｇに螺合し支持材２１に連結材３１を固着可能としている。止め輪３４は、細溝３２ｄに嵌着可能な大きさで回動軸３２が後述する支持孔４１ｃから抜出すのを防止している。ここで、基板３１ａにおける軸孔３１ｅの穿設位置は、後述する折戸用ガイド１の組立て時に、上側片２１ａにおける軸孔２１ｅと軸芯が一致するように選定するのが折戸Ｚの親扉Ｘの移動の際の力のバランス上からは好ましいが、必ずしも厳密に一致していなくてもよい。
下部部材４は扉取付材４１と、通常一対の固着具４２とを有している。扉取付材４１は通常金属又は硬質プラスチック製で、板状の固着部４１ａと該固着部４１ａの左右略中央部より垂直方向に円筒状に延びる支承部４１ｂとを有し、固着部４１ａには左右［図２（ａ）では回動して前後で表示］に一対の固着孔４１ｄが穿設され、固着部４１ａの中間部通常略中央部から垂直方向に支承部４１ｂ軸芯に沿って回動軸３２の軸部３２ａが摺動可能な支持孔４１ｃが底部を僅かに残しためくら孔として設けられ該底部に段部３２ｃが遊嵌可能な通し孔４１ｆが穿設され、支持孔４１ｃの上端側から回動軸３２を下側の段部３２ｃより扉取付材４１に貫通可能とされている。このとき支持孔４１ｃと段部３２ｃとの間に間隙ができ該間隙に図示省略するがコイルばねを装填し該ばねの反力によって連結材３１を固着部４１ａ表面から離れ気味に保持して組立て作業を円滑化することができるが、前記した通りこのコイルばねは必須のものではない。ここで支承部４１ｂは円筒状に限定されず、軸芯に回動軸３２の軸部３２ａが摺動可能な支持孔４１ｃが穿設されていれば外面は多角形等の筒状であってもよいが、製作上から通常円筒状とされている。固着具４２は、固着孔４１ｄに貫通して扉取付け部４１を親扉Ｘ上縁部に固着するための木ねじ、ボルト等である。
【０００７】
次に、折戸用ガイド１の組立てについて図１、２により説明する。
折戸用ガイド１を折戸の親扉Ｘに装着する場合、先ずランナー２を組立てるが、支持材２１の軸孔２１ｅ及び２１ｆに各一対の転動体２２及び転動軸２３を用い、他方（本例では右側）の転動体２２の軸孔２２ａの小径部側を軸孔２１ｅに下から向合うように配設して段部２３ｃを上に鍔２３ｂを下にして軸孔２２ａから軸孔２１ｅに転動軸２３を貫通せしめ、軸孔２１ｅに嵌着されている小径段部２３ｃを上からかしめ等により転動軸２３を上側片２１ａに固着し且つ該転動軸２３回りに転動体２２を回動可能とする。一方（本例では左側）の転動体２２及び転動軸２３は前記他方の転動体２２と上下逆向きとし、軸孔２２ａの小径部側を軸孔２１ｆに上から向合うように配設して転動軸２３を貫通せしめ、軸孔２１ｆに嵌着されている小径段部２３ｃを下からかしめ等により転動軸２３を下側片２１ｄに固着し且つ該転動軸２３回りに転動体２２を回動可能とする。
中間部材３の組立ては、基板３１ａの軸孔３１ｅに回動軸３２の先端固着部３２ｂを下方より嵌着し、固着部３２ｂを上からかしめ等により回動軸３２を連結材３１に固着する。その後、下部部材４の扉取付材４１の支持孔４１ｃに上方より回動軸３２を段部３２ｃ側より貫通せしめ、支承部４１ｂ下端末より突出している段部３２ｃの細溝３２ｄに止め輪３４を嵌着し回動軸３２を上方へ飛出し不能とする。前記した支持孔４１ｃと段部３２ｃとの間の間隙に図示省略のコイルばねを装填する場合は、支持孔４１ｃへの段部３２ｃの貫通前に予め該段部３２ｃ回りにコイルばねを装填したうえで貫通すればよい。
【０００８】
図３、４により、本発明の折戸用ガイド１と対で用いられる一例のピボット部７の構成及び組立てを説明する。ピボット部は、本例に限定されず各種公知のものがある。
図３は、ピボット部７を構成する上部材５を示し、支承部５１、ばね５２、支軸５３、水平固定部５４及び垂直固定部５５を有している。
支承部５１は底付円筒体で内側径が上部５１ａより下部５１ｂを僅かに大きくとり該下部５１ｂにコイルばね５２が収納され、ばね５２の先端部に円柱ピストン状の支軸５３が下方に止め輪５１ｃを介して装填され、支軸５３の上方は支承部５１の上部５１ａに上方向に付勢され摺動且つ軸芯回りに回動可能とされ、支軸５３の先端に細径の回動軸５３ａが突設されている。垂直固定部５５は水平片５５ａとこれに直交する垂直片５５ｂによって略Ｌ形に形成され、回動軸５３ａが水平片５５ａの開口部５５ｄに回動可能に挿着され、垂直片５５ｂには水平方向に引戸を取付ける周辺の例えば右縦枠Ｐ２への固着具（図示省略、前記４２と同様）が貫通可能な固着孔５５ｃが適所に複数個（本例では４個）穿設されている。水平固定部５４は、支承部５１の上端にフランジ状に連結されて水平方向に延びた板状面の上下垂直方向に引戸Ｚの子扉Ｙ上縁部に固着のための固着具（図示省略、前記４２と同様）が貫通可能な固着孔５４ａが適所に複数個（本例では３個で一個長円とされている）穿設されている。支承部５１内に収納されたばね５２の先端部に支軸５３がに上下に摺動且つ軸芯回りに回動可能とされ、水平片５５ａの開口部５５ｄに挿着された支軸５３の先端回動軸５３ａを介して右縦枠Ｐ２と固着されている垂直固定部５５に対し支軸５３が軸芯回りに回動可能とされている。
図４は、ピボット部７を構成する下部材６を示し、基板６１、支承部６２、ピボット６３及び扉下固着部６４を有している。
基板６１は床面又は下枠に固着する固着具（図示省略、前記４２と同様）が貫通可能な固着孔６１ａが複数（本例では２個）穿設されている細幅略方形平坦材で、基板６１略中央部垂直方向に円柱先端に球形のピボット６３が頭を露出状態で装填可能な窪みをもった支承部６２が立設されている。扉下固着部６４は、細幅略方形平坦材の取付け部６４ａとピボット６３及び支承部６２の上側より大部分を覆う逆略鍋底形のキャップ６４ｂとが連設され、キャップ６４ｂ裏面はピボット６３と当接し扉下固着部６４はピボット６３に支持され円滑に回動可能とされ、取付け部６４ａには固着具（一部図示省略、前記４２と同様）が貫通可能な固着孔６４ｃが適所に複数（本例では３個で一個長円とされている）穿設されている。
【０００９】
次に、折戸用ガイド１及びピボット部７を親扉Ｘ及び子扉Ｙよりなる折戸Ｚへの取付けについて説明する。
図６に示す通り、折戸Ｚは通常施工現場において、図示一部省略するが床面Ｇ、左縦枠Ｐ１、右縦枠Ｐ２、上枠（図示省略）及び上部レールＲによって囲繞された空間に取付けられる。ここで床面Ｇに代えて下枠を用いる場合もある。又上部レールＲは各種形状のものがあるが、図２に示す本例では断面開口が折戸用ガイド１のランナー２の転動体２２が転動しやすいような例えばリップ付溝型とされている。又本例では、折戸Ｚへの折戸用ガイド１及びピボット部７の取付け完了時においては、内側より視て親扉Ｘを左側及び子扉Ｙを右側に配設され、親扉Ｘと子扉Ｙは蝶番Ｔによって折曲げ自在に連結され、子扉Ｙの右端部をピボット部７により回動自在に支持し、親扉Ｘは上枠に固着された上部レールＲに案内されて移動し開閉可能な折戸Ｚとされる。
取付け手順の先ず準備段階として、蝶番Ｔによって連結された親扉Ｘと子扉Ｙを用意し、上部材５の取付けを行う。子扉Ｙの蝶番Ｔが取付けられる側、すなわち本例では左端より間隔Ｌの位置に支軸５３の軸芯がおかれるように子扉Ｙ上縁部に沿ってばね５２が収納されその先端部に支軸５３がおかれた状態の水平固定部５４をおき、固着孔５４ａに固着具を通し上部材５の下回り部分を子扉Ｙ上縁部に固着しておく。一方右縦枠Ｐ２上端部に垂直方向に垂直片５５ｂをおき固着孔５５ｃに固着具を通して水平片５５ａを水平方向になるようにして垂直固定部５５を右縦枠Ｐ２上端部に固着するが、子扉Ｙを組立てたときに左端より間隔Ｌの位置ある支軸５３の軸芯と水平片５５ａの開口部５５ｄの軸芯とが合致する位置にしておく。
下部材６の取付けとして、扉下固着部６４を子扉Ｙ下縁部において上部材５の支軸５３の軸芯の延長線上にキャップ６４ｂの中心があるように配置して固着孔６４ｃに固着具を通して固着する。一方、ピボット６３及び支承部６２の軸芯が子扉Ｙを組立てたときに左端より間隔Ｌの位置あるキャップ６４ｂの中心と合致するように配置して基板６１の固着孔６１ａに固着具を通し床面Ｇに固着しておく。
【００１０】
中間部材３及び下部部材４の親扉Ｘへの取付けとして、親扉Ｘの蝶番Ｔが取付けられる側、すなわち本例では右端より前記と同様の間隔Ｌの位置に回動軸３２の軸芯がおかれるように親扉Ｘ上縁部に沿って固着部４１ａをおき、固着孔４１ｄに固着具を通し親扉Ｘ上縁部に下部部材４を固着するが、このとき中間部材３の基板３１ａの軸孔３１ｅに先端固着部３２ｂが固着された回動軸３２を扉取付材４１の支持孔４１ｃに上方より貫通せしめ、突出している段部３２ｃの細溝３２ｄに止め輪３４を嵌着しておく。
一方扉部分とは全く別個に、折戸用ガイド１から分割されているランナー２の一対の転動体２２を上部レールＲの一方開口から長手方向に沿って挿通し転動可能な状態としておく。
次に、折戸Ｚの吊込み手順として、蝶番Ｔによって連結された親扉Ｘと子扉Ｙを運び、子扉Ｙ側に固着されている下部材６のキャップ６４ｂをピボット６３の軸芯に重ね合わせ、上部材５の水平片５５ａの開口部５５ｄに支軸５３の先端回動軸５３ａをばね５２による付勢を下方に加圧しながら嵌着し、これによって子扉Ｙがピボット６３と支軸５３との共通する軸芯回りに回動可能にようにセットされる。
次いで、上部レールＲに挿通されれているランナー２の支持材２１の係合孔２１ｈに、親扉Ｘ側に固着されている固着部４１ａ表面上におかれた連結材３１の基板３１ａの係合片３１ｃを係合し、固着具３３を基板３１ａの下から通し孔３１ｄに貫通してねじ孔２１ｇに螺合し、支持材２１と連結材３１を固着して折戸用ガイド１を組立てる。これにより、親扉Ｘは上部レールＲに案内され転動体２２の上部レールＲに沿う転動により移動するランナー２によって全閉状態から前開状態に移動可能なようにセットされて、折戸Ｚの吊込みが完了する。
上記詳述した通り、折戸用ガイド１をランナー２が分割可能な構造としているので親扉Ｘと上部レールＲへは別々に取付け可能で、上部レールＲとランナー２との挿通と子扉Ｙへのピボット部７の取付けという、開閉空間の上側及び下側との装着の各作業を完全に分離して行うことができ、取外しの際も親扉Ｘのランナー２と子扉Ｙのピボット部７とを同時に外す必要がないので、安全且つ労力を要せずに組立て及び取外し作業を遂行できるという利点を有している。
【００１１】
次に、折戸用ガイド１の変形例である本発明の第二例の折戸用ガイド１０の構成を説明する。折戸用ガイド１０は図５に示す通りで、ランナー８と、中間部材９と、下部部材４とを備えている。ここで、下部部材４は前記折戸用ガイド１と同様の構成であり詳細説明及び図示を一部省略する。
ランナー８は、一個の支持材８１と、各４個の摺動体８２とを有している。支持材８１は通常金属又は硬質プラスチック製の略長方形ブロック体で、上面は平坦で下面に下向き開口を有する高さｈ×幅ｗの断面略Ｕ字形の長溝８１ｂが左右長手方向に前後中心線に沿って設けられ、長溝８１ｂは支持材８１の他方端（本例では右側）が貫通せずめくらとされ該めくら部分の下方に略鍵形の僅かな張出し部８３によって側面視において略鍵形の係合孔８１ａが形成され、支持材８１の一方端（本例では左側）には前後中央にねじ孔８１ｃが上下に穿設されている。摺動体８２は、通常低摩擦の金属又は硬質プラスチック製で支持材８１と一体又は接着、溶着等により固着され、支持材８１の四隅部に外面が前後左右略対称の突出面を形成しておかれているがその形状は後述する上部レールＲに沿って円滑に摺動可能であればよく、平面視において弧状面とするのが好ましく、特に円弧面とするのが左右移動のバランス上からは好ましい。
中間部材９は、連結材９１と、回動軸部３２と、固着具９３と、止め輪３４とを有している。ここで、回動軸部３２と止め輪３４は前記折戸用ガイド１と同様の構成であり詳細説明及び図示を一部省略する。連結材９１は通常金属製の短冊状板材で、高さｈ×幅ｗの長溝８１ｂに対し僅かにマイナス公差にとられ、一方端部（本例では左側）に固着具９３が挿通可能な通し孔９１ａ（前記通し孔３１ｄに相当）が上下に穿設され、左右略中央部よりやや右側に寄りに軸孔９１ｂ（前記軸孔３１ｅに相当）が穿設されている。固着具９３（前記固着具３３に相当）は、頭付小ねじで通し孔９１ａを貫通してねじ孔８１ｃに螺合し支持材８１に連結材９１を固着可能としている。回動軸部３２及び止め輪３４は、前記軸孔３１ｅに相当する軸孔９１ｂに回動軸部３２の固着部３２が固着されその下方の構成は前記折戸用ガイド１と同様であり、又下部部材４も前記折戸用ガイド１と同様であり詳細説明を省略する。
【００１２】
折戸用ガイド１０の組立てを説明する。先ずランナー８はそのまま用いられるので特別の準備作業は不要である。中間部材９の組立ては、連結材９１の軸孔９１ｂに回動軸３２の先端固着部３２ｂを下方より嵌着し、固着部３２ｂを上からかしめ等により回動軸３２を連結材９１に固着してなされる。その後、下部部材４及び回動軸３２回りの組立てを行うが前記折戸用ガイド１と同様であり詳細説明を省略する。
次に、折戸用ガイド１０及びピボット部７を親扉Ｘ及び子扉Ｙよりなる折戸Ｚへの取付けについて説明するが、ピボット部７の取付けは前記折戸用ガイド１と同様であり詳細説明を省略する。
中間部材９及び下部部材４の親扉Ｘへの取付けとして、親扉Ｘの蝶番Ｔが取付けられる側、すなわち本例では右端より間隔Ｌの位置に回動軸３２の軸芯がおかれるように前記折戸用ガイド１と同様に親扉Ｘ上縁部に沿って固着部４１ａをおき、固着孔４１ｄに固着具を通し親扉Ｘ上縁部に下部部材４を固着し、中間部材９の軸孔９１ｂに先端固着部３２ｂが固着された回動軸３２を扉取付材４１の支持孔４１ｃに上方より貫通せしめ、突出している段部３２ｃの細溝３２ｄに止め輪３４を嵌着しておく。
一方扉部分とは全く別個に、折戸用ガイド１０から分割されているランナー８の摺動体８２を上部レールＲの一方開口から長手方向に沿って挿通し摺動可能な状態としておく。
次に、折戸Ｚの吊込み手順として、蝶番Ｔによって連結された親扉Ｘと子扉Ｙを運び、子扉Ｙ側に折戸用ガイド１で前記した通り、ピボット部７を取付けセットする。次いで、上部レールＲに挿通されれているランナー８の支持材８１の略鍵形の係合孔８１ａに、親扉Ｘ側に固着されている下部部材４の固着部４１ａ表面上におかれた連結材８１の他方端部（本例では右側）を係合し、固着具９３を下から通し孔９１ａに貫通してねじ孔８１ｃに螺合し、支持材８１と連結材９１を固着して折戸用ガイド１０を組立て、これにより親扉Ｘは上部レールＲに案内されて摺動体８２と上部レールＲとの摺動により移動するランナー８によって全閉状態から前開状態に移動可能なようにセットされて、折戸Ｚの吊込みが完了する。
【００１３】
最後に、折戸Ｚの作動について説明する。ここで、図６、７に示すのは折戸用ガイド１を用いた例である。
折戸Ｚの全閉状態にあっては、図６に示す通り、親扉Ｘを左側に及び子扉Ｙを右側において、親扉Ｘ及び子扉Ｙの表裏両面はそれぞれ同一面上に開いておかれる。
折戸Ｚを、図６の全閉状態から開放するために蝶番Ｔの連結部を折曲げて移動すると途中二点鎖線で示す軌跡を経て、図７に実線で示す全開状態に達し、親扉Ｘ及び子扉Ｙの両前面は向合っておかれ右端に移動する。
逆に折戸Ｚを全開状態から全閉状態に移動する場合には、前記と逆に折曲げられた親扉Ｘ及び子扉Ｙは表裏両面はそれぞれ同一面上に開いておかれる。
折戸用ガイド１０を用いた場合の作動は、折戸Ｚの開閉は図６、７に示す折戸用ガイド１と同様であるが、ランナー８の移動が摺動体８２と上部レールＲとの摺動によってなされる点が異なり、折戸用ガイド１の転動体２２の上部レールＲとの転動と比較すると摺動の方が抵抗がやや大きく折戸Ｚの開閉がやや重いが、構造はランナー８及び連結材９１の方がランナー２及び連結材３１よりも簡単である。
【００１４】
【発明の効果】
本発明の折戸用ガイドによれば、簡易な構造で、ランナーを含むガイドを分割構造としているので親扉と上部レールへは別々に取付け可能で、上部レールとランナーとの挿通と子扉へのピボット部の取付けという、開閉空間の上側及び下側との装着の各作業を完全に分離して行うことができ、取外しの際も親扉のランナーと子扉のピボット部とを同時に外す必要がなく、安全且つ労力を要せずに組立て及び取外し作業を遂行できる。
【図面の簡単な説明】
【図１】本発明の折戸用ガイドの第一例の斜視図で、（ａ）各構成要素の分解図、（ｂ）組立図である。
【図２】図１の折戸用ガイドの（ａ）平面図、（ｂ）正面図、（ｃ）側面図である。
【図３】図１の折戸用ガイドと対で用いられるピボット部の上部材の（ａ）平面図、（ｂ）Ａ・Ａ断面図、（ｃ）側面図である。
【図４】図１の折戸用ガイドと対で用いられるピボット部の下部材の（ａ）平面図、（ｂ）Ｂ・Ｂ断面図、（ｃ）側面図である。
【図５】本発明の折戸用ガイドの第二例で（ａ）ランナー回りの平面図、（ｂ）ランナー回りの正面図、（ｃ）ランナー回りの側面図、及び（ｄ）組立斜視図である。
【図６】図１の折戸用ガイドの第一例を装着した折戸の全閉状態を示す（ａ）折戸部分みの平面図、（ｂ）周辺部分を含む正面図である。
【図７】図１の折戸用ガイドの第一例を装着した折戸の全開状態を示す（ａ）折戸部分のみの平面図、（ｂ）周辺部分を含む正面図である。
【符号の説明】
１、１０  折戸用ガイド
２、８  ランナー
２１、８１  支持材
２１ａ  上側片
２１ｂ、２１ｃ  垂直片
２１ｄ  下側片
２１ｅ、２１ｆ、２２ａ、３１ｅ、９１ｂ  軸孔
２１ｇ，８１ｃ  ねじ孔
２１ｈ、８１ａ  係合孔
２２  転動体
２３  転動軸
２３ａ、３２ａ  軸部
２３ｃ、３２ｃ  段部
３、９  中間部材
３１、９１  連結材
３１ａ  基板
３１ｂ  突起部
３１ｃ  係合片
３１ｄ、９１ａ  通し孔
３２  回動軸部
３２ｂ  固着部
３３、４２、９３  固着具
３４、５１ｃ  止め輪
４  下部部材
４１  扉取付材
４１ａ  固着部
４１ｂ、５１、６２  支承部
４１ｃ  支持孔
４１ｄ  固着孔
５  上部材
６  下部材
６３  ピボット
７  ピボット部
８１ｂ  長溝
８２  摺動体
８３  張出し部
Ｒ  上部レール
Ｔ  蝶番
Ｘ  親扉
Ｙ  子扉
Ｚ  折戸
【図１】
0003627180.tif 000002
【図２】
0003627180.tif 000003
【図３】
0003627180.tif 000004
【図４】
0003627180.tif 000005
【図５】
0003627180.tif 000006
【図６】
0003627180.tif 000007
【図７】
0003627180.tif 000008